(57)【特許請求の範囲】
【請求項１】
胴部（２）上端の頂壁（６）の中央に有頂の軸筒（９）を、外側にガイド筒（７）をそれぞれ立設すると共に、該軸筒（９）とガイド筒（７）との間の頂壁（６）部分に複数の吸込み孔（８）を周方向に沿って間隔を開けて開設した容器本体（１）と、前記ガイド筒（７）内に挿入組付けされて軸筒（９）に外装し、該軸筒（９）の上端部外周面を弁座とする注出弁部（１１）を上端に設けると共に、前記吸込み孔（８）を開閉する吸込み弁部（１４）を下端に設け、中間部を上下に弾性潰れ変形可能な弾発部（１３）に形成した貫通筒状のポンプ体（１０）と、前記注出弁部（１１）を介してポンプ体（１０）内と連通する注出孔（２６）を天板（２１）に開設し、前記ガイド筒（７）に昇降スライド可能に、かつ抜け出し不能に外嵌する外筒（２３）の内側に、下端面を前記ポンプ体（１０）の上面に当接させて、前記ガイド筒（７）に侵入可能な内筒（２４）を垂下設して、前記ポンプ体（１０）に弾発される押し下げヘッド（２０）と、から成る注出容器。
【請求項２】
容器本体(1) を、胴部(2) の下部内に、内部の負圧化により上方へ摺動するスライド蓋(5) を密に嵌合させて構成した請求項１記載の注出容器。
【請求項３】
容器本体(1) を、内部の負圧化により胴部(2) の内容物収納部分が偏平に減容化するチューブ容器で構成した請求項１記載の注出容器。
【請求項４】
把持部(31)の上端に、押し下げヘッド(20)の注出孔(26)の注出口に嵌合可能な栓(33)を後面に突設した蓋板(32)を連設し、前記把持部(31)の下端後部に、押し下げヘッド(20)の外筒(23)と容器本体(1) の頂壁(6) との間に挿入され、かつガイド筒(7) の外周に係脱可能な円弧状のロック部(34)を連設して構成したロック蓋(30)を設けた請求項１または２または３記載の注出容器。
【発明の詳細な説明】
【０００１】
【発明の属する技術分野】
本発明は、クリーム状液体等の内容物を少量ずつ注出するポンプ式の注出容器に関するものである。
【０００２】
【従来の技術】
この種のポンプ式注出容器として、容器本体の上端口筒部に、弾性潰れ変形可能なドーム状の弾性筒体を組付けると共に、この弾性筒体の上端に、注出口を有する押し下げヘッドを組付け、かつ口筒部の開口部に吸込み弁を、弾性筒体の上端開口部に注出弁を、それぞれ配設して、この弾性筒体内をポンプ室として構成したものが知られている（実開昭６１−１７０７２号公報等参照）。
【０００３】
【発明が解決しようとする課題】
しかしながら、上記した従来技術にあっては、ポンプを構成する弾性筒体、吸込み弁、注出弁をそれぞれ別体の部材としているので、構造が複雑で部品数が多くなると共に、容器の組立ても面倒であり、またシール性も不充分になり易い、と云う問題があった。
【０００４】
そこで、本発明は、上記した従来技術における問題点を解消すべく創案されたもので、ポンプ式の注出容器において、容器本体に対してポンプ部を一体的に構成すると共に、ポンプ部の構造を簡略化することを技術的課題とし、もって部品数を少なくして、コストを低減化すると共に、組立てを容易とし、かつシール性を向上させることを目的とする。
【０００５】
【課題を解決するための手段】
上記技術的課題を解決する本発明の内、請求項１記載の発明の手段は、
胴部上端の頂壁の中央に有頂の軸筒を、外側にガイド筒をそれぞれ立設すると共に、この軸筒とガイド筒との間の頂壁部分に複数の吸込み孔を周方向に沿って間隔を開けて開設した容器本体を有すること、
容器本体のガイド筒内に挿入組付けされて軸筒に外装し、この軸筒の上端部外周面を弁座とする注出弁部を上端に設けると共に、容器本体の吸込み孔を開閉する吸込み弁部を下端に設け、中間部を上下に弾性潰れ変形可能な弾発部に形成した貫通筒状のポンプ体を有すること、
ポンプ体の注出弁部を介してポンプ体内と連通する注出孔を天板に開設し、容器本体のガイド筒に昇降スライド可能に、かつ抜け出し不能に外嵌する外筒の内側に、下端面をポンプ体の上面に当接させて、容器本体のガイド筒に侵入可能な内筒を垂下設して、ポンプ体に弾発される押し下げヘッドを有すること、
にある。
【０００６】
注出容器は、容器本体のガイド筒内に、ポンプ体を、容器本体の軸筒に外嵌させて挿入組付けし、次いで押し下げヘッドを容器本体のガイド筒に嵌装組付けすることにより、その組立てが完了する。
【０００７】
使用時において、押し下げヘッドを押し下げると、ポンプ体が押圧されてその弾発部が潰れ変形するため、ポンプ体内の内容物が加圧されて注出弁部が開弁して、内容物が注出孔を通って注出される。
【０００８】
次いで、押し下げヘッドの押し下げを解放すると、ポンプ体の弾発部が弾性復元してポンプ体内が負圧化するため、吸込み弁部が開弁して、容器本体内の内容物が吸込み孔を通ってポンプ体内に吸い上げられる。
【０００９】
請求項２記載の発明は、請求項１記載の発明の構成に、容器本体を、胴部の下部内に、内部の負圧化により上方へ摺動するスライド蓋を密に嵌合させて構成した、ことを加えたものである。
【００１０】
この請求項２記載の発明にあっては、外気を容器本体内に吸引することなく内容物を注出することができるので、嫌気性内容物の収納に適しており、また外観形状が一定しているので、使用に従って外観体裁が劣化することがなく、さらに自立機能が付与されている場合には、内容物の消費に関わりなく、その自立機能を安定的に維持する。
【００１１】
請求項３記載の発明は、請求項１記載の発明の構成に、容器本体を、内部の負圧化により胴部の内容物収納部分が偏平に減容化するチューブ容器で構成した、ことを加えたものである。
【００１２】
この請求項３記載の発明にあっては、外気を容器本体内に吸引することなく内容物を注出することができるので、嫌気性内容物の収納に適しており、また容器本体の構成を、最も簡単なものとすることができる。
【００１３】
請求項４記載の発明は、請求項１記載の発明の構成に、把持部の上端に、押し下げヘッドの注出孔の注出口に嵌合可能な栓を後面に突設した蓋板を連設し、把持部の下端後部に、押し下げヘッドの外筒と容器本体の頂壁との間に挿入され、かつ容器本体のガイド筒の外周に係脱可能な円弧状のロック部を連設して構成したロック蓋を設けた、ことを加えたものである。
【００１４】
この請求項４記載の発明にあっては、容器の非使用時において、ロック蓋を装着することにより、注出口を密閉することができると共に、押し下げヘッドをロックしてその不必要な下降を防止することができる。
【００１５】
【発明の実施の形態】
以下、本発明の一実施例を、図面を参照しながら説明する。
嫌気性のクリーム状液体等の内容物を収納する容器本体１は、円筒形状の胴部２の下端開口部に、底板に空気孔４を開設した底蓋３を組付けると共に、胴部２の下端部内に、容器本体１内の負圧化により上方へ摺動するスライド蓋５を密に嵌合させている。
【００１６】
また、胴部２上端の頂壁６には、外周面に抜け止め突条を周設したガイド筒７を外側寄りに立設すると共に、その内方に複数の吸込み孔８を周方向に沿って間隔を開けて開設し、内端に有頂の軸筒９を立設して構成されている。
【００１７】
シリコンゴム等の弾性材から成る貫通筒状のポンプ体１０は、上端に、軸筒９の上端部外周面を弁座とする薄肉テーパ筒状の注出弁部１１を形成すると共に、その下方に、上面が段状に形成された受けフランジ部１２を介して、中央が内方へ湾曲した弾性潰れ変形可能な弾発部１３を形成し、さらにこの弾発部１３の下端内方に、吸込み孔８を開閉する薄肉水平リング状の吸込み弁部１４を連設して構成されている。
【００１８】
押し下げヘッド２０は、前端に注出筒２２を突設した天板２１の周縁に、容器本体１のガイド筒７にスライド昇降変位可能に、かつ抜け出し不能に外嵌する外筒２３を垂下設すると共に、その内方に、下端面がポンプ体１０の受けフランジ部１２上面に当接すべく段状に形成された内筒２４を垂下設し、この内筒２４の内方の天板２１中央部を上方へ凹設して注出室２５を形成すると共に、この注出室２５から注出筒２２の前端まで注出孔２６が開設されている。
【００１９】
ロック蓋３０は、両側面を円弧状に凹設して形成した把持部３１の上端に、注出孔２６の注出口に嵌合可能な栓３３を後面に突設した蓋板３２を連設し、把持部３１の下端後部に、押し下げヘッド２０の外筒２３と容器本体１の頂壁６との間に挿入され、かつ容器本体１のガイド筒７の外周に係脱可能な円弧状のロック部３４を連設して構成されている。
【００２０】
なお、嫌気性内容物を収納する場合、容器本体１を、内容物の減少に伴う内部の負圧化により、その胴部２の内容物収納部分が扁平に減容化変形するチューブ容器で構成しても良く、この場合、チューブ容器を二重構造として、内容物収納部分を形成する内側チューブは、偏平に減容化変形したままであるが、外側チューブは、偏平変形後に原形に復帰するものとするのが、外観体裁上良い。
【００２１】
【発明の効果】
本発明は、上記した構成となっているので、以下に示す効果を奏する。
ポンプ機能部を構成する弾発部分、吸込み弁部分、注出弁部分を一体化して、貫通筒状のポンプ体に形成したので、ポンプ機能部の構造が簡略化され、もって部品数が減少し、コストが低減化されると共に、組立てが容易になる。
【００２２】
また、容器本体の一部により、ポンプ機能部の不動部分を構成したので、ポンプ機能部を容器本体に対して一体化することができ、これによりポンプ機能部と容器本体との間のシール性を、きわめて高いものとすることができる。
【図面の簡単な説明】
【図１】本発明の一実施例を示す、全体縦断側面図。
【図２】図１に示した実施例の、ロック蓋を分離した状態の上部側面図。
【図３】図１に示した実施例における、ロック蓋の平面図。
【符号の説明】
１  ；  容器本体
２  ；  胴部
３  ；  底蓋
４  ；  空気孔
５  ；  スライド蓋
６  ；  頂壁
７  ；  ガイド筒
８  ；  吸込み孔
９  ；  軸筒
１０  ；  ポンプ体
１１  ；  注出弁部
１２  ；  受けフランジ部
１３  ；  弾発部
１４  ；  吸込み弁部
２０  ；  押し下げヘッド
２１  ；  天板
２２  ；  注出筒
２３  ；  外筒
２４  ；  内筒
２５  ；  注出室
２６  ；  注出孔
３０  ；  ロック蓋
３１  ；  把持部
３２  ；  蓋板
３３  ；  栓
３４  ；  ロック部
【図１】
0004135167.tif 000002
【図２】
0004135167.tif 000003
【図３】
0004135167.tif 000004